(57)【要約】【課題】  施工に手間がかからずその施工作業性を向上させるとともに、排水能力等の流水性が良好な路面用水路施設を形成する暗渠型水路ブロックを提供する。【解決手段】  内部に長手方向に沿う水路２ａを有し、上面２ｂが水路２ａ上部との間に所定厚みを有してなる暗渠型水路ブロック２であり、前記水路２ａの略扁平異形状をなす断面形状を、略左右対称状で略中央部が下方に向け凸湾曲又は凸屈曲状をなして左右方向に延びる底辺部２ｅの左右両端に、外方に向け湾曲状をなす側辺部２ｆを略起立状に連続させ、底辺部２ｅに相対し、頂部の左右両側が所定勾配の斜降状をなして略山形状となされた上辺部２ｇの左右両端を両側辺部２ｆの上端に夫々連続させて形成する。【選択図】図４
2010242496.tif 000002
【特許請求の範囲】
【請求項１】
内部に長手方向に沿う水路（２ａ）を有し、上面（２ｂ）が水路（２ａ）上部との間に所定厚みを有してなり、前記水路（２ａ）の略扁平異形状をなす断面形状が、略左右対称状で略中央部が下方に向け凸湾曲又は凸屈曲状をなして左右方向に延びる底辺部（２ｅ）の左右両端に、外方に向け湾曲状をなす側辺部（２ｆ）が略起立状に連続され、底辺部（２ｅ）に相対し、頂部の左右両側が所定勾配の斜降状をなして略山形状となされた上辺部（２ｇ）の左右両端を両側辺部（２ｆ）の上端に夫々連続させて形成された暗渠型水路ブロック。
【発明の詳細な説明】
【技術分野】
【０００１】  本発明は暗渠型水路ブロックに関し、詳しくは、例えば道路の交差部等にあって、道路の路側や歩車道境界等に沿って道路に埋設した側帯用の水路ブロックに連続して、その排水能力を低下させることなく、又、道路舗装が分断されて道路機能、安全及び景観を損なうことなく、交差する道路を横断すべく路面用水路施設を形成するのに使用する暗渠型水路ブロックに関するものである。
【背景技術】
【０００２】  従来、例えば道路の路側や歩車道境界等に沿って、内部に長手方向に沿う水路を有する筒状コンクリート製の水路ブロックがその水路を連通させて接続されるとともに、その上面を路面に露出させて道路に埋設されることにより道路縦断方向に沿う側帯用の水路が形成されており、道路の交差部等にあって、前記縦断方向に連続する水路がこれと交差する道路によって遮られるような場合に、道路舗装面における排水勾配の確保及び無用な物体の露出防止といった道路機能、安全及び景観等の面から水路を路面に露出させずに交差道路を横断して連続させるべく、交差する道路に臨む水路の水路ブロック端部に深底状のマスブロックが道路に埋設されて水路ブロック端部がマスブロックの上位部に連結され、前記交差する道路を挟み相対して埋設されたマスブロックの下位部間に、前記道路を横断すべく土被りを有して埋設された排水管がさし渡されることにより、交差道路を横断する路面用の水路施設が形成されている。
【発明の概要】
【発明が解決しようとする課題】
【０００３】  しかしながら、かかる従来の路面用水路施設は、水路と交差する道路に臨む水路ブロック端部に深底状のマスブロックが道路に埋設されて水路ブロック端部がマスブロックの上位部に連結され、前記交差する道路を挟み相対して埋設されたマスブロックの下位部間に、前記道路を横断すべく土被りを有して埋設された排水管がさし渡されて形成されるために、水路ブロックを略直線状、且つ連続的に接続施工するのとは異なり、深底状のマスブロックや土被りを有すべき排水管を道路に埋設すべくより深く掘削して接続施工しなければならず、その施工が煩瑣となって手間がかかり、施工作業性に劣る問題点があるとともに、水路が水路ブロックに接続するマスブロック及び排水管によって凹状に屈曲され、その底部が直線的に揃わずに本来の水路ブロックが有する排水性が損なわれ、排水能力が低下する問題点があった。
本発明はかかる従来の問題点に鑑みてなされたものであって、施工に手間がかからずその施工作業性を向上させるとともに、排水能力等の流水性が良好な路面用水路施設を形成する暗渠型水路ブロックを提供することを課題としている。
【課題を解決するための手段】
【０００４】  上記課題を解決するため、本発明の暗渠型水路ブロックは、内部に長手方向に沿う水路２ａを有し、上面２ｂが水路２ａ上部との間に所定厚みを有してなり、前記水路２ａの略扁平異形状をなす断面形状が、略左右対称状で略中央部が下方に向け凸湾曲又は凸屈曲状をなして左右方向に延びる底辺部２ｅの左右両端に、外方に向け湾曲状をなす側辺部２ｆが略起立状に連続され、底辺部２ｅに相対し、頂部の左右両側が所定勾配の斜降状をなして略山形状となされた上辺部２ｇの左右両端を両側辺部２ｆの上端に夫々連続させて形成されたものである。
【発明の効果】
【０００５】  本発明の暗渠型水路ブロックは、内部の水路の略扁平異形状をなす断面形状が、略左右対称状で略中央部が下方に向け凸湾曲又は凸屈曲状をなして左右方向に延びる底辺部の左右両端に、外方に向け湾曲状をなす側辺部が略起立状に連続され、底辺部に相対し、頂部の左右両側が所定勾配の斜降状をなして略山形状となされた上辺部の左右両端を両側辺部の上端に夫々連続させて形成されているために、ブロック上面が水路上部との間に所定厚みを有して形成されていることと相俟って、少なくとも上面に負荷される輪荷重等外力による曲げやせん断力に耐えうる強度を保持して贅肉（無駄）の少ない全体が経済的で流水性も含め有効な断面形状を有するブロック（例えば断面が幅に比し高さが低い安定した形状のブロック）とすることができる。又、強度的に安定し排水性に優れた構造の路面用水路施設の形成にも寄与できる。
例えば道路の交差部等にあって、道路の路側や歩車道境界等に沿ってその上面を路面に露出させ、且つ路面と略面一状にして道路に埋設された水路ブロックの接合によって形成された道路縦断方向に沿う側帯用の水路が、これと交差する道路によって遮られるような場合に、従来の如き土被りが大きい排水管を使用することなく、本発明の暗渠型水路ブロックを使用して暗渠型水路ブロックの上面を路面から沈埋させた交差道路を横断する路面用水路施設を容易に形成できる。
【図面の簡単な説明】
【０００６】
【図１】  路面用水路施設の一例を示し、（イ）は平面図、（ロ）は（イ）のＢ−Ｂ端面図、（ハ）は（ロ）のＣ部拡大図。
【図２】  （イ）は図１（イ）のＤ−Ｄ拡大端面図、（ロ）は図１（イ）のＥ−Ｅ拡大端面図、（ハ）は図１（イ）のＦ−Ｆ拡大端面図、（ニ）は図１（イ）のＧ−Ｇ拡大端面図。
【図３】  図１の路面用水路施設における水路ブロックの一例を示し、（イ）は一部省略正面図、（ロ）は左側面図、（ハ）は（イ）のＨ−Ｈ断面図。
【図４】  図１の路面用水路施設における暗渠型水路ブロックの一例を示し、（イ）は一部省略正面図、（ロ）は一部省略平面図、（ハ）は側面図、（ニ）は（イ）のＪ−Ｊ断面図。
【図５】  図１の路面用水路施設における中継用水路ブロックの一例を示し、（イ）は正面図、（ロ）は平面図、（ハ）は左端面図、（ニ）は右端面図、（ホ）は（イ）のＫ−Ｋ断面図。
【図６】  （イ）乃至（リ）は夫々暗渠型水路ブロックの水路の断面形状の他の例を示す説明図。
【図７】  （イ）及び（ロ）は夫々暗渠型水路ブロックの使用による路面用水路施設を示す平面図、（ハ）は（ロ）のＬ−Ｌ拡大断面図、（ニ）は暗渠型水路ブロックの上面形状の他の一例を示す断面図。
【発明を実施するための形態】
【０００７】  以下、図面を参照しながら本発明の実施の形態について説明する。
まず、本発明の暗渠型水路ブロックの説明に先立ち、その元（基本形）をなす暗渠型水路ブロックとこれを用いた路面用水路施設について述べる。
図１（イ）乃至（ハ）は路面用水路施設の一例を示し、Ａは路面用水路施設であって、図１（イ）に示すように、道路Ｒの縦断方向（図面で横方向に延びる）の路側に沿う側帯用の水路をなすべく道路に埋設された水路ブロック１と、前記道路ＲとＴ字状に交差する道路Ｒ′（図面で縦方向に延びる）を横断すべくその全体が完全に道路に沈埋された暗渠型水路ブロック２との間に、道路に埋設された中継用水路ブロック３が介在されて互いに接合されて形成されている。尚、本例では暗渠型水路ブロック２が複数接合されて前記道路Ｒ′を横断すべくなされている。
【０００８】  前記水路ブロック１は、例えば図３（イ）乃至（ハ）に示すように、内部に長手方向に沿う断面円形の水路１ａを有する横長筒状のコンクリート製等のブロックであって、水路１ａの底部が長手方向に略直線状となされ、水路ブロック１の上面１ｂが長手方向と直交する幅方向にわたる緩傾斜面となされており、その上面１ｂが路面に露出され、且つ路面と略面一状となされて道路に埋設施工されるものである。
又、水路ブロック１は、施工時に他ブロックとボルト連結して接合するために、その長手方向両端面の下位両側に本体部分から突出するフランジ１ｃが夫々設けられ、水路ブロック１の正面側にあるフランジ１ｃ部分と、該フランジ１ｃの上下斜め対角線上に位置する背面側の本体部分には、夫々ボルト孔１ｄが設けられている。
【０００９】  暗渠型水路ブロック２は、例えば図４（イ）乃至（ニ）に示すように、内部に長手方向に沿う水路２ａを有する横長筒状のコンクリート製等のブロックであって、前記水路２ａの断面は、ブロックの強度面及び排水能力等の流水性の面から略山形状の上部を有する略扁平異形状となされている。
具体的には、前記水路２ａの底部は前記水路ブロック１の水路１ａの底部と同様に長手方向に略直線状に延び、水路２ａにおける流量が水路ブロック１の水路１ａの流量と略同等となる（水路２ａ内での所定水深比（例えば８割水深）における流量が、水路ブロック１の水路１ａ内での所定水深比（例えば８割水深）における流量と略同等となるのが好ましいが、かかる各所定水深比は必ずしもこれに拘束されない）ように水路２ａの断面形状が設計される（連通すべき前記水路１ａの断面が円形であることから、これに適合すべき滑らかな外形を有する形状となされるのが好ましい）とともに、暗渠型水路ブロック２の上面２ｂに負荷される輪荷重等外力による曲げやせん断力に対する最低限の強度を保持する必要性等の面から水路２ａ及び暗渠型水路ブロック２の断面形状が設計されている。
【００１０】  更に詳しくは、前記水路２ａの断面形状は、図４（ハ）及び（ニ）に示すように、略左右対称状をなし、左右方向に延びる緩やかな略Ｖ形状の底辺部２ｅの左右両端に、外方に向け凸湾曲状をなす側辺部２ｆが略起立状に滑らかに連続され、底辺部２ｅに相対し、丸みを帯びた頂部の左右両側が所定勾配の斜降状をなしてなだらかな略山形状となされた上辺部２ｇの左右両端を両側辺部２ｆの上端に夫々滑らかに連続させて形成されることにより、前記流量及び最低限の強度保持の条件を満足するようになされ、暗渠型水路ブロック２がその全体断面形状が贅肉（無駄）の少ない有効なブロックとなされている。
【００１１】  又、前記上面２ｂが水路２ａの上部との間に所定厚みを有し、水路２ａの底部位置を前記水路ブロック１の水路１ａの底部と長手方向に揃えた際、上面２ｂが水路ブロック１の上面１ｂより所定高さ分低く形成されている。
即ち、水路２ａの断面を、前記水路１ａの断面円形に比し底部から上部方向への広がりを抑えてその断面高さを低くした前記の如き略扁平異形状とすることで、前記上面２ｂを水路ブロック１の上面１ｂより低く形成可能となし、後述するように、その上面１ｂを路面に露出させ、且つ路面と略面一状にして道路に埋設される水路ブロック１に対し、後述の中継用水路ブロック３を介して接合する際、暗渠型水路ブロック２はその上面２ｂを路面ｒに露出することなく路面下の所定深さ（例えて、道路舗装材の下端位置）に位置させて、全体を道路に沈埋可能としている（図１（ハ）及び図２（ニ）参照）。
又、施工時に他ブロックとボルト連結して接合するために、暗渠型水路ブロック２の長手方向両端面付近の両側壁にその下部から底部にわたる凹部２ｃ（ボルトやナットの挿入用空間）が夫々設けられるとともに、上記両端面下部に長手方向に沿い凹部２ｃ内に貫通するボルト孔２ｄが夫々設けられている。
【００１２】  中継用水路ブロック３は、例えば図５（イ）乃至（ホ）に示すように、内部に長手方向に沿う水路３ａを有する横長筒状のコンクリート製等のブロックであって、前記水路３ａの断面は、長手方向の一端で前記水路ブロック１の水路１ａの断面と同様の円形、他端で前記暗渠型水路ブロック２の水路２ａの断面と同様の略山形状の上部を有する略扁平異形状（水路２ａと同様の底辺部３ｅと側辺部３ｆと上辺部３ｇとから形成される）となされ、長手方向一端から他端にわたり漸次変形されている。
前記水路３ａの底部は、前記水路ブロック１、暗渠型水路ブロック２の水路１ａ，２ａの底部と同様に長手方向に略直線状となされ、水路３ａにおける流量が前記水路１ａ，２ａの流量と略同等となる（水路３ａ内での所定水深比（例えば８割水深）における流量が、前記水路１ａ，２ａ内での所定水深比（例えば８割水深）における流量と略同等となるのが好ましいが、かかる各所定水深比は必ずしもこれに拘束されない）ように水路３ａの断面形状が設計され、図５（イ）に破線で示す如く水路３ａの上部が長手方向一端から他端に向け直線的に漸次斜降する一方、図５（ロ）に破線で示す如く水路３ａの両側部が長手方向一端から他端に向け直線的に漸次拡開されて、前記のように水路３ａの断面が長手方向一端の円形から他端の略扁平異形状に至るまで漸次変形されている。
【００１３】  又、中継用水路ブロック３の上面３ｂは、前記水路ブロック１の上面１ｂと略同様に長手方向と直交する幅方向にわたる緩傾斜面となされ、水路３ａの底部位置を前記水路ブロック１の水路１ａの底部と長手方向に揃えた際、上面３ｂが水路ブロック１の上面１ｂと略同高さとなるように形成されている。
又、中継用水路ブロック３は、その施工時に他ブロックとボルト連結して接合するために、長手方向一端面に前記水路ブロック１のボルト孔１ｄに対応するボルト孔３ｄが対角線上に位置して設けられるとともに、前記一端面付近の両側壁にボルト孔３ｄに連通する凹部３ｃ（ボルトやナットの挿入用空間）が設けられる一方、長手方向他端面の下位に暗渠型水路ブロック２のボルト孔２ｄに対応するボルト孔３ｄが設けられるとともに、前記他端面付近の両側壁にその下部から底部にわたる凹部３ｃが設けられてボルト孔３ｄに連通されている。
【００１４】  しかして、路面用水路施設Ａは、図１（イ）に示すように、道路Ｒの路側に沿ってその上面１ｂを路面に露出させ、且つ路面と略面一状にして道路に埋設された水路ブロック１が接合されて形成される側帯の水路が、道路Ｒと交差する道路Ｒ′によって遮られるような場合に、前記水路を交差道路Ｒ′を横断して連続させるべく形成するものである。
即ち、図１（イ）に示すように、側帯の水路を形成する水路ブロック１の長手方向に連続して、交差道路Ｒ′の手前に中継用水路ブロック３を配し、これに連続して交差道路Ｒ′を横断するべく暗渠型水路ブロック２を配し、図１（ロ）及び（ハ）に示すように、各水路１ａ，３ａ，２ａの底部位置を長手方向に揃えて水路１ａ，３ａ，２ａを連通させて接合し、中継用水路ブロック３は水路ブロック１と同様にその上面３ｂを路面ｒに露出させ、且つ路面ｒと略面一状にして道路に埋設し、暗渠型水路ブロック２はその上面２ｂを路面ｒに露出することなく路面ｒ下に位置させて上面２ｂを含む全体を道路に沈埋（図２（ニ）参照）して、交差道路Ｒ′を横断するようになし（本例では暗渠型水路ブロック２を長手方向に複数接合して路面下の浅い位置で交差道路Ｒ′を横断するが、必ずしもこれに拘束されない）、前記側帯の水路を連続させるべく路面用水路施設Ａを形成するものである。
【００１５】  従って、路面用水路施設Ａは、その水路１ａ，３ａ，２ａ底部位置を長手方向に直線状に揃えて、水路ブロック１と暗渠型水路ブロック２とを中継用水路ブロック３を介して接合し、図２（イ）に示す断面円形の水路１ａを、図２（ロ）及び（ハ）に示す断面が漸次変化する水路３ａを介して図２（ニ）に示す断面略扁平異形状の水路２ａと連通させることから、断面略扁平異形状の水路２ａを有する暗渠型水路ブロック２の上面２ｂを水路ブロック１の上面１ｂより低く形成して、その上面２ｂを路面ｒから露出することなく路面ｒ下に位置させ、暗渠型水路ブロック２全体を道路に沈埋して交差道路Ｒ′を横断させることが可能で、しかも、水路１ａ，３ａ，２ａにおける流量を略同等となすとともに、一連の水路に段差等を生じせしめることなくスムーズに連設することから、排水能力を損なうことなく速やかな排水が可能となる。
【００１６】  尚、暗渠型水路ブロック２は、その水路２ａの断面が必ずしも前記例の如き略扁平異形状に限定されず、前記水路ブロック１の水路１ａの所定の断面形状に応じて、水路２ａにおける流量が前記水路１ａの流量と略同等（好ましくは水路２ａ内の所定水深比における流量が前記水路１ａ内の所定水深比における流量と略同等）となるとともに、上面２ｂに負荷される輪荷重等外力に対する強度を考慮し、水路２ａの底部位置を前記水路１ａの底部と揃え、水路１ａの断面高さより低い略扁平異形状となされればよい。
要は、水路２ａの断面が略扁平異形状となされることで、前記上面２ｂが水路ブロック１の上面１ｂより低く形成可能となればよく、水路２ａの断面は、少なくとも前記流量や強度の条件を満足する種々の略山形状の上部を有する略扁平異形状であればよい。
【００１７】  例えば、水路２ａの断面形状は、略山形状をなす上辺部２ｇが、図６（イ）に示す如き丸みを帯びた頂部の左右両側が前記例のものに比し急勾配の斜降状、図６（ロ）に示す如き略水平状の頂部の左右両側が所定勾配の斜降状、図６（ハ）に示す如き稍凹状をなす頂部の左右両側が所定勾配の斜降状、その他適宜形状の頂部の左右両側が斜降状となされる等、前記例のものが種々変形されるとともに、底辺部２ｅ、側辺部２ｆも図６（イ）乃至（ハ）に示す他、その長さや形状（直線状、屈曲状、湾曲状、溝付状等、図６（ニ）乃至（リ））が適宜変更されることで、種々の略山形状の上部を有する略扁平異形状となされればよい。又、水路２ａの断面形状は、略左右対称状が構造面等から好ましい。
【００１８】  前記暗渠型水路ブロック２の全体断面形状についても、少なくとも上面２ｂに負荷される輪荷重等外力に対する十分な強度を有するとともに、水路２ａの底部位置を前記水路ブロック１の水路１ａの底部と長手方向に揃えた際、上面２ｂが水路ブロック１の上面１ｂより所定高さ分（上面２ｂの路面下埋設深さ分）低く形成されればよく、前記図示した例のものに限定されず、適宜形状に変更可能である。
又、暗渠型水路ブロック２の長手方向の長さも前記十分な強度を保持する適宜長さとなされればよいし、他ブロックとの接合部の形状、構造についても前記例のものに拘束されず、適宜変更されてもよい。
【００１９】  ここで、本発明の暗渠型水路ブロックについて述べる。
前記暗渠型水路ブロック２は、前記水路ブロック１、中継用水路ブロック３と独立して使用されてもよく、この独立使用される暗渠型水路ブロック２が本発明の暗渠型水路ブロックであり、前記した如く水路２ａの略扁平異形状をなす断面形状が、略左右対称状をなし、左右方向に延びる底辺部２ｅ（略中央部が下方に向け凸湾曲又は凸屈曲状をなす）の左右両端に側辺部２ｆ（外方に向け湾曲状をなす）が略起立状に連続され、底辺部２ｅに相対し、頂部の左右両側が所定勾配の斜降状をなして略山形状となされた上辺部２ｇの左右両端を両側辺部２ｆの上端に夫々連続させて形成されたものであって、本来前記路面用水路施設Ａの形成に供されるものがそのまま転用されればよい。
例えば図７（イ）及び（ロ）に示すように、前記図１と略同様に互いに交差する道路Ｒ，Ｒ′において、交差道路Ｒ′を横断して複数接合された暗渠型水路ブロック２に、前記水路ブロック１、中継用水路ブロック３に代えて更に暗渠型水路ブロック２を道路Ｒの路側に沿って連続して接合することもでき、その際、暗渠型水路ブロック２は図７（イ）及び図２（ニ）に示す如くその全体が道路に沈埋され、その上側に種々街きょ工（図示せず）が施工されてもよいし、場合によっては図７（ロ）及び（ハ）に示す如く上面２ｂが路面ｒに露出されてもよい。又、道路の交差部に限らず他の種々の場所に独立して使用されてもよく、上面２ｂは図７（ニ）に示す如き幅方向両端部から略中央部に向け斜降する傾斜面となしてもよい他、幅方向にわたる傾斜面等その設置場所に相応して適宜に変更可能である。尚又、暗渠型水路ブロック２が前記の如く独立して使用される場合、前記水路ブロック１に拘束されず水路２ａ内の所定水深比における流量が適宜決められてもよい。
【００２０】  尚、路面用水路施設Ａの形成に際しては、前記のように水路１ａ，３ａ，２ａ底部位置を長手方向に略直線状に揃えて、暗渠型水路ブロック２の上面２ｂを水路ブロック１の上面１ｂより所定高さ分低く形成し、暗渠型水路ブロック２をその上面２ｂを含め全体を道路に沈埋可能となし、路面構成を単純化して道路機能、安全及び景観を損なわないようにすればよい。
尚又、路面用水路施設Ａは、その施工場所が前記道路の交差部に限定されることなく、道路機能、安全及び景観面やその他の面から必要とされる他の種々の場所に施工されてもよいことは勿論であるとともに、前記例では暗渠型水路ブロック２の両側が夫々中継用水路ブロック３を介して水路ブロック１に接合されているが、必要に応じて暗渠型水路ブロック２の一側のみが中継用水路ブロック３を介して水路ブロック１に連結され、他側が中継用水路ブロック３を介することなく直接他の水路施設等に接合されてもよい。
【符号の説明】
【００２１】Ａ  路面用水路施設
１  水路ブロック
１ａ，２ａ，３ａ  水路
１ｂ，２ｂ，３ｂ  上面
２  暗渠型水路ブロック
２ｅ，３ｅ  底辺部
２ｆ，３ｆ  側辺部
２ｇ，３ｇ  上辺部
３  中継用水路ブロック
Ｒ，Ｒ′    道路
ｒ  路面
【図１】
2010242496.tif 000003
【図２】
2010242496.tif 000004
【図３】
2010242496.tif 000005
【図４】
2010242496.tif 000006
【図５】
2010242496.tif 000007
【図６】
2010242496.tif 000008
【図７】
2010242496.tif 000009